(57)【要約】      （修正有）【課題】釣り用リールに使用される複数の工具の管理を容易にする釣り用リール工具の提供。【解決手段】両軸受リールに使用される釣り用リール工具２００は、箱型レンチ部２１０と操作部２２０とを備える。箱型レンチ部２１０は、両軸受リールの電池ケースの蓋と係合する。操作部２２０は、六角レンチ３００を収容する収容部２２１Ｂと、ボタン型電池４００を収容する凹部２２３と、を備える。収容部２２１Ｂは、六角レンチ３００の短辺部３２０及び短辺部３２０に繋がった長辺部３１０の一端部を収容する第１収容部２２１ＢＡと、長辺部３１０の他端部を収容する第２収容部２２１ＢＢと、を備える。【選択図】図４
2020010609.tif 000002
【特許請求の範囲】
【請求項１】
外周面に第１係合部を有する着脱部材を釣り用リールの本体に対して着脱するための釣り用リール工具であって、
前記第１係合部と係合する箱型レンチ部と、
前記箱型レンチ部を操作するための操作部と、を備え、
前記操作部は、内周面に第２係合部を有する締結具であって前記釣り用リールの組み立てに使用される締結具を緩める又は締めるために前記第２係合部に係合する棒状レンチを収容する収容部を備える、
釣り用リール工具。
【請求項２】
前記棒状レンチは、長辺部と、前記長辺部の一端に繋がった短辺部と、を有するＬ字型であり、
前記収容部は、前記棒状レンチの前記短辺部及び前記長辺部の一端部を収容する第１収容部と、前記棒状レンチの前記長辺部の他端部を収容する第２収容部と、を備える、
請求項１に記載の釣り用リール工具。
【請求項３】
前記釣り用リールの本体は、電池を収容する電池ケースを有し、
前記着脱部材は、前記電池ケースに着脱可能な蓋であり、
前記操作部は、前記電池を収容する凹部を、さらに備える、
請求項１又は２に記載の釣り用リール工具。
【請求項４】
前記収容部は、前記棒状レンチを収容したときに、当該棒状レンチが前記凹部の開口の少なくとも一部を横切るように形成されている、
請求項３に記載の釣り用リール工具。
【発明の詳細な説明】
【技術分野】
【０００１】
本発明は、釣り用リールに使用される釣り用リール工具に関する。
【背景技術】
【０００２】
釣り用リールをメンテナンスするには、工具が必要となる。例えば、特許文献１には、締結具（特許文献１では、ビス１８）を用いて組み立てられた釣り用リール（特許文献１では、両軸受リール）が開示されているが、当該締結具を緩める又は締める際には、工具が必要となる。
【０００３】
一方、特許文献１には、釣り用リールの本体（特許文献１では、電池ケース１７のケース本体２３を含む部分）に、回転により着脱される着脱部材（特許文献１では、蓋部材２７）も開示されている。当該着脱部材は、上部に設けられた溝に硬貨を差し込み、硬貨により当該着脱部材を回転させることで当該着脱部材の着脱をすることができる。
【先行技術文献】
【特許文献】
【０００４】
【特許文献１】特開２００７−１９５４３３号公報
【発明の概要】
【発明が解決しようとする課題】
【０００５】
本願発明者らは、着脱部材の薄型化、又は、デザインなどを考慮し、当該着脱部材の形状を変更し、専用工具（より詳細には箱型レンチ）により当該着脱部材を着脱させることを考えた。しかし、このような場合、着脱部材に使用される工具と、締結具に使用される工具と、が必要になってしまう。つまり、釣り用リールに対して複数の工具が必要になり、その管理が煩雑になるという問題がある。
【０００６】
本発明の目的は、上記の事情に鑑み、釣り用リールに使用される複数の工具を容易に管理できる釣り用リール工具を提供することにある。
【課題を解決するための手段】
【０００７】
上記の目的を達成するため、本発明は、外周面に第１係合部（例えば、突出部１６５ＢＣ）を有する着脱部材（例えば、蓋１６５Ｂ）を釣り用リール（例えば、両軸受リール１００）の本体に対して着脱するための釣り用リール工具（例えば、釣り用リール工具２００）であって、
前記第１係合部と係合する箱型レンチ部（例えば、箱型レンチ部２１０）と、
前記箱型レンチ部を操作するための操作部（例えば、操作部２２０）と、を備え、
前記操作部は、内周面に第２係合部（例えば、ボルト孔１６３Ａ）を有する締結具（例えば、ボルト１６３）であって前記釣り用リールの組み立てに使用される締結具を緩める又は締めるために前記第２係合部に係合する棒状レンチ（例えば、六角レンチ３００）を収容する収容部（例えば、収容部２２１Ｂ）を備える。
【０００８】
この構成により、本発明に係る釣り用リール工具の操作部に棒状レンチを収容できる。そのため、釣り用リールに使用される複数の工具（箱型レンチ部と棒状レンチ）を容易に管理できる。
【０００９】
また、前記棒状レンチは、長辺部（例えば、長辺部３１０）と、前記長辺部の一端に繋がった短辺部（例えば、短辺部３２０）と、を有するＬ字型であり、
前記収容部は、前記棒状レンチの前記短辺部及び前記長辺部の一端部を収容する第１収容部（例えば、第１収容部２２１ＢＡ）と、前記棒状レンチの前記長辺部の他端部を収容する第２収容部（例えば、第２収容部２２１ＢＢ）と、を備える構成としてもよい。
【００１０】
この構成により、Ｌ字型の棒状レンチを、両端を固定した状態で収容できる。
【００１１】
また、前記釣り用リールの本体は、電池（例えば、ボタン型電池４００）を収容する電池ケース（例えば、電池ケース１６５）を有し、
前記着脱部材は、前記電池ケースに着脱可能な蓋（例えば、蓋１６５Ｂ）であり、
前記操作部は、前記電池を収容する凹部（例えば、凹部２２３）を、さらに備える構成としてもよい。
【００１２】
この構成により、本発明に係る釣り用リール工具及び棒状レンチと一緒に電池も容易に管理できる。
【００１３】
また、前記収容部は、前記棒状レンチを収容したときに、当該棒状レンチが前記凹部の開口の少なくとも一部を横切るように形成されている構成としてもよい。
【００１４】
この構成により、収容された電池が凹部から脱落することを防止できる。
【発明の効果】
【００１５】
本発明によれば、釣り用リールに使用される複数の工具を容易に管理できる。
【図面の簡単な説明】
【００１６】
【図１】本発明の実施の形態に係る釣り用リール工具の使用対象となる両軸受リールの分解斜視図である。
【図２】本発明の実施の形態に係る釣り用リール工具の箱型レンチ部側を示す斜視図である。
【図３】本発明の実施の形態に係る釣り用リール工具の操作部側を示す斜視図である。
【図４】本発明の実施の形態に係る釣り用リール工具の断面図である。
【図５】本発明の実施の形態に係る釣り用リール工具が両軸受リールの電池蓋と係合可能なことを示す斜視図である。
【図６】（ａ）は、本発明の実施の形態に係る釣り用リール工具に六角レンチとボタン型電池とを収容可能なことを示す斜視図である。（ｂ）は、本発明の実施の形態に係る釣り用リール工具に六角レンチとボタン型電池とを収容した状態を示す斜視図である。
【発明を実施するための形態】
【００１７】
以下、図面を参照しながら、本発明の実施の形態に係る釣り用リール工具を説明する。各図面においては、同一又は同等の部分に同一の符号を付す。
【００１８】
（両軸受リールの概略構成）
まず、図１を参照しながら、本発明の実施の形態に係る釣り用リール工具の使用対象となる両軸受リール１００を説明する。
【００１９】
両軸受リール１００は、魚釣り用のリールである。両軸受リール１００は、リールフット１１０と、第１本体部１２０と、ハンドル１３０と、スプール１４０と、クラッチ操作部１５０と、第２本体部１６０と、連結部１７０と、を備える。両軸受リール１００は、リールフット１１０により、釣竿に取り付けられる。両軸受リール１００は、スプール１４０に均一に糸を巻き回すためのレベルワインド機構（図示せず）なども備える。以下の説明では、カバー１６２の方向（両軸受リール１００を取り付けた釣竿のユーザから見て左側）を「左」、スプール１４０の方向（前記ユーザから見て右側）を「右」とする。
【００２０】
第１本体部１２０は、スプール１４０の一端（右端）を回転可能に支持している。また、第１本体部１２０には、ハンドル１３０が取り付けられ、第１本体部１２０は、ハンドル１３０の回転をスプール１４０に伝達してスプール１４０を回転させる回転伝達機構（図示せず）を有する。第１本体部１２０は、その他、クラッチ機構、メカニカルブレーキ、ドラグ機構等も備える。前記クラッチ機構は、オンのときに、ハンドル１３０の回転をスプール１４０に伝達する一方、オフのときは、当該回転をスプール１４０に伝達しない。クラッチ機構のオン／オフは、クラッチ操作部１５０により切り替わる。
【００２１】
第２本体部１６０は、筐体部材１６１と、カバー１６２と、ボルト１６３と、電池ケース１６５と、を備える。さらに、第２本体部１６０は、スプール１４０の回転を受けて、レベルワインド機構のウォームシャフトを回転させるための複数のギア（図示せず）も備える。当該複数のギアは、第１本体部１２０内に配置してもよい。
【００２２】
第２本体部１６０は、スプール１４０の他端（左端）を回転可能に支持している。カバー１６２は、ドーム形状を有し、ボルト１６３（締結具）により、第２本体部１６０の筐体である筐体部材１６１に締め付けられて固定されている。カバー１６２は、筐体部材１６１の内部及び電池ケース１６５を覆っている。カバー１６２は、ボルト１６３を外すことで、筐体部材１６１から取り外し可能である。両軸受リール１００は、ボルト１６３により筐体部材１６１とカバー１６２とが締結されて組み立てられているので、ボルト１６３は、両軸受リール１００の組み立てに使用される締結具である。また、ボルト１６３の頭には、後述の六角レンチ３００（棒状レンチ）と係合する内周面を有するボルト孔１６３Ａ（第２係合部）が形成されている。六角レンチ３００は、正六角柱を屈曲させた形状であり、ボルト１６３の内周面の断面は、当該正六角柱にあわせて、正六角形状となっている。ボルト１６３の内周面により、正六角柱形状の空間が形成されている。
【００２３】
電池ケース１６５は、後述のボタン型電池４００を収容する。電池ケース１６５の詳細な構造等については後述する。連結部１７０は、スプール１４０を間に置いて左右方向に離れている第１本体部１２０と第２本体部１６０とを連結している。連結部１７０は、表示装置１７１を備える。表示装置１７１は、液晶表示装置等であり、釣りの仕掛けの現在の水深（繰り出した釣り糸の長さ）を表示する。表示装置１７１は、連結部１７０又は第２本体部１６０内に配置された制御部（例えば、マイクロコンピュータ。図示せず。）により制御される。制御部は、図示しない磁気センサによりスプール１４０の回転数を検出し、検出した当該回転数に基づいて、表示装置１７１に水深を表示する。表示装置１７１、制御部、磁気センサ等は、電池ケース１６５に収容された後述のボタン型電池４００からの電力により動作する。
【００２４】
ここで、電池ケース１６５の詳細な構造を説明する。電池ケース１６５は、筐体部材１６１又は筐体部材１６１内部の所定部材に組み付けられ、カバー１６２を取り外した状態で周囲よりも左側に突き出ている。電池ケース１６５は、カバー１６２を筐体部材１６１に取り付けられたときに、カバー１６２内に配置される。電池ケース１６５は、ケース本体１６５Ａと、ケース本体１６５Ａに被さる蓋１６５Ｂと、を備える。蓋１６５Ｂは、ケース本体１６５Ａに対してバヨネット式で付け外し（着脱）される。
【００２５】
ケース本体１６５Ａは、円形状の底部１６５ＡＡと、底部１６５ＡＡの周縁部から左方向に延びている円筒状の側部１６５ＡＢとを備え、円形のカップ形状に形成されている。底部１６５ＡＡと側部１６５ＡＢとは、後述のボタン型電池４００を収容するための収容空間Ｓ１を形成している。従って、ケース本体１６５Ａは、後述のボタン型電池４００を装着する装着部である。ケース本体１６５Ａは、ボタン型電池４００に電気的に接続される正電極及び負電極など（図示せず）も備える。側部１６５ＡＢは、周方向に延びたバヨネット溝Ｍ１を有する。
【００２６】
蓋１６５Ｂ（着脱部材）は、後述の釣り用リール工具２００により回転させることで、ケース本体１６５Ａに対して付け外し可能となっている。蓋１６５Ｂは、覆い部１６５ＢＡと、側部１６５ＢＢと、３つの突出部１６５ＢＣと、を備える。
【００２７】
覆い部１６５ＢＡは、円盤形状を有し、ケース本体１６５Ａの収容空間Ｓ１を上方から覆う。側部１６５ＢＢは、円筒形状であり、覆い部１６５ＢＡの周縁部から右方向に延びている。側部１６５ＢＢは、ケース本体１６５Ａの側部１６５ＡＢを外側から覆う。覆い部１６５ＢＡと側部１６５ＢＢとは、蓋本体を構成している。当該蓋本体は、全体として、円形のカップ形状を有し、ケース本体１６５Ａに被さる。側部１６５ＢＢの内周面には、ケース本体１６５Ａに蓋１６５Ｂを取り付けたときに、バヨネット溝Ｍ１に係合するバヨネット突起（図示せず）が設けられている。
【００２８】
３つの突出部１６５ＢＣ（第１係合部）それぞれは、側部１６５ＢＢの外周面から外側（蓋１６５Ｂの回転軸（図１の蓋１６５Ｂの中央を貫く二点鎖線）に直交する方向。蓋１６５Ｂの径方向とも言える。）に突出している。３つの突出部１６５ＢＣは、側部１６５ＢＢの外周面に周方向に沿って１２０度ごとに等間隔で配置されている。突出部１６５ＢＣは、蓋１６５Ｂを付け外しするために回転させるときに後述の釣り用リール工具２００と係合する形状に形成されている。突出部１６５ＢＣは、山形形状を有する。
【００２９】
蓋１６５Ｂをケース本体１６５Ａに被せ回転させると、蓋１６５Ｂのバヨネット突起が、ケース本体１６５Ａのバヨネット溝Ｍ１に入り込み係合する。これにより、蓋１６５Ｂが締められ、蓋１６５Ｂがケース本体１６５Ａに取り付けられる。蓋１６５Ｂを反対方向に回転させると、蓋１６５Ｂが緩められ、蓋１６５Ｂがケース本体１６５Ａから取り外される。このようにして、蓋１６５Ｂは、ケース本体１６５Ａに対して付け外し可能となっている。蓋１６５Ｂとケース本体１６５Ａとの間には、ケース本体１６５Ａ内部に水が浸入することを防止するＯリング等が配置されるとよい。
【００３０】
（釣り用リール工具の構成）
次に、図２から図４を参照しながら、本発明の実施の形態に係る釣り用リール工具２００を説明する。釣り用リール工具２００は、電池ケース１６５の蓋１６５Ｂを付け外しするための工具である。釣り用リール工具２００は、箱型レンチ部２１０と、操作部２２０と、を備える。
【００３１】
箱型レンチ部２１０は、蓋１６５Ｂと係合し、回転による蓋１６５Ｂの付け外しに用いられる（図５も参照）。操作部２２０は、箱型レンチ部２１０を回転させる際に、ユーザに持たれて回転操作される部分である。箱型レンチ部２１０と操作部２２０とは、回転軸Ｃを共有し、合成樹脂又は金属等により一体的に形成されている。ユーザは、箱型レンチ部２１０が蓋１６５Ｂと係合した状態で操作部２２０を回転させることにより、箱型レンチ部２１０及び蓋１６５Ｂを回転させ、蓋１６５Ｂを付け外しすることができる。また、操作部２２０は、後述の六角レンチ３００及び後述のボタン型電池４００を収容可能な形状に形成されている（図６も参照）。なお、以下の説明では、箱型レンチ部２１０の方向を「下」、操作部２２０の方向を「上」とする。
【００３２】
箱型レンチ部２１０は、円形型の底部２１１と、底部２１１の周縁部から下方向に延びている円筒状の側部２１２と、を備える。底部２１１と側部２１２とにより、箱形状（ここでは、一端閉口の円筒形状）が構成されており、その内部に円柱状の空間Ｓ２が形成されている。空間Ｓ２には、蓋１６５Ｂの付け外しの際に当該蓋１６５Ｂが収容される（図５も参照）。側部２１２は、外周面に平面状の平面部２１２Ｂを備える。側部２１２は、内周面に３つの係合凹部２１２Ａを備える。３つの係合凹部２１２Ａそれぞれは、係合凹部２１２Ａの周囲の内周面よりも外側（釣り用リール工具２００の回転軸Ｃに直交する方向。釣り用リール工具２００の径方向とも言える）に凹んでいる。各係合凹部２１２Ａは、側部２１２の内周面に周方向に沿って１２０度ごとに等間隔で配置されている。３つの係合凹部２１２Ａは、蓋１６５Ｂの３つの突出部１６５ＢＣと一対一で対応して設けられている。係合凹部２１２Ａは、突出部１６５ＢＣの形状に合わせて設けられている。蓋１６５Ｂが空間Ｓ２に収容されたとき、突出部１６５ＢＣそれぞれが係合凹部２１２Ａそれぞれに入り込み、両者は係合する。このようにして、箱型レンチ部２１０の内周面は、蓋１６５Ｂの外周面と係合可能である。
【００３３】
操作部２２０は、所定の厚さを有するドーナツ板形状（中央が中空の円板形状）のドーナツ部２２１と、ドーナツ部２２１の下端を閉口する底部２２２と、を備える。なお、図４において、後述の収容部２２１Ｂに収容された六角レンチ３００及び後述の凹部２２３に収容されたボタン型電池４００を破線にて示している。また、六角レンチ３００はＬ字型であり、長辺部３１０と、長辺部３１０の一端部に繋がった短辺部３２０と、を有する。
【００３４】
ドーナツ部２２１は、中空部分の内周面２２１Ａと、上面に形成され、六角レンチ３００を収容する収容部２２１Ｂと、下部に形成された環状凹部２２１Ｃと、凹凸形状に形成された外周面２２１Ｄと、を備える。箱型レンチ部２１０の回転を容易なものとするため、ドーナツ部２２１の直径は、箱型レンチ部２１０の直径よりも大きいことが好ましい。
【００３５】
底部２２２は、箱型レンチ部２１０の底部２１１と一体的に形成されている。底部２２２は、中央に配置された円形の平坦な底面２２２Ａと、底面２２２Ａを囲み、底面２２２Ａと内周面２２１Ａとの間に位置している斜面２２２Ｂと、を備える。斜面２２２Ｂは、底面２２２Ａと繋がっている内周が低く、内周面２２１Ａと繋がっている外周が高くなるように傾斜しており、傾斜角度が異なる２つの斜面を含む。２つの斜面は円錐台の側面形状で形成されている。底面２２２Ａの直径は、ボタン型電池４００の直径と同程度であり、内周面２２１Ａの直径より小さい。
【００３６】
内周面２２１Ａと底部２２２とにより、ボタン型電池４００を収容する凹部２２３が形成されている。凹部２２３にボタン型電池４００を収容したとき、ボタン型電池４００は底面２２２Ａ上に配置される。
【００３７】
収容部２２１Ｂは、第１収容部２２１ＢＡと第２収容部２２１ＢＢとを備える。第１収容部２２１ＢＡは、Ｌ字型の孔により形成されている。具体的には、第１収容部２２１ＢＡは、第１の孔Ｈ１と、第２の孔Ｈ２と、を備える。第１の孔Ｈ１は、一端が凹部２２３の開口に繋がった、回転軸Ｃに直交する方向（径方向）に延びた直線状の溝である。第２の孔Ｈ２は、第１の孔Ｈ１の他端に繋がった、上下方向（回転軸Ｃの方向）に延びたドーナツ部２２１を貫通している貫通孔である。第２収容部２２１ＢＢは、第１の孔Ｈ１と同一直線上かつ凹部２２３の開口の中心を挟んで反対側に所定の長さで凹部２２３の開口に繋がった直線状の溝からなる第３の孔Ｈ３により形成されている。第１の孔Ｈ１と、第３の孔Ｈ３とは、凹部２２３の開口を挟んで直線状の溝を構成する。
【００３８】
第１収容部２２１ＢＡ及び第２収容部２２１ＢＢは、六角レンチ３００を収容した際に、ドーナツ部２２１の上面を下向きにしても六角レンチ３００が脱落しない程度に六角レンチ３００と嵌合するように形成されていることが好ましい。
【００３９】
外周面２２１Ｄの凹凸形状は、ユーザが釣り用リール工具２００を使用して蓋１６５Ｂを付け外しする際に滑り止めとして機能する。
【００４０】
（釣り用リール工具による電池ケースの蓋の付け外し）
図５を参照しながら、釣り用リール工具２００による電池ケース１６５の蓋１６５Ｂの付け外しについて説明する。なお、図５に示すように、カバー１６２はすでに第２本体部１６０から取り外されているものとする。ユーザは、カバー１６２と第２本体部１６０とを締結するボルト１６３を後述の六角レンチによって取り外すことにより、カバー１６２を取り外すことができる。また、蓋１６５Ｂは、図５に示す時計回りに回転させることによりケース本体１６５Ａから取り外すことができ、蓋１６５Ｂがケース本体１６５Ａに被さった状態で反時計回りに回転させることによりケース本体１６５Ａに取り付けることができる。
【００４１】
まず、ケース本体１６５Ａに取り付けられている蓋１６５Ｂの取り外しについて説明する。ユーザは、釣り用リール工具２００の操作部２２０を握り、箱型レンチ部２１０を蓋１６５Ｂに被せる、換言すると、蓋１６５Ｂを箱型レンチ部２１０に収容させる。このとき、箱型レンチ部２１０の各係合凹部２１２Ａに、蓋１６５Ｂの各突出部１６５ＢＣを入り込ませ、各係合凹部２１２Ａと各突出部１６５ＢＣとを係合させる。これにより、箱型レンチ部２１０が蓋１６５Ｂと係合する。ユーザは、箱型レンチ部２１０が蓋１６５Ｂと係合した状態で、操作部２２０を時計回りに回転させる。これにより、箱型レンチ部２１０全体が時計回りに回転し、箱型レンチ部２１０と係合する蓋１６５Ｂも時計回りに回転する。具体的に、係合凹部２１２Ａの内面が突出部１６５ＢＣに引っ掛かり、これにより、箱型レンチ部２１０と蓋１６５Ｂとが一体で回転する。そのため、ユーザは、当該操作により、蓋１６５Ｂをケース本体１６５Ａから取り外すことができる。
【００４２】
次に、取り外されている蓋１６５Ｂのケース本体１６５Ａへの取り付けについて説明する。まず、ユーザは、蓋１６５Ｂを箱型レンチ部２１０に収容させ、上記と同様に蓋１６５Ｂと箱型レンチ部２１０とを係合させる。次に、ユーザは、操作部２２０をつかみ、箱型レンチ部２１０ごと蓋１６５Ｂをケース本体１６５Ａに被せる。そして、ユーザが、この状態で操作部２２０を反時計回りに回転させると、箱型レンチ部２１０全体が反時計回りに回転する。この回転の際、係合凹部２１２Ａの内面が突出部１６５ＢＣに引っ掛かり、箱型レンチ部２１０とともに蓋１６５Ｂが反時計回りに回転する。これにより、蓋１６５Ｂのバヨネット突起が、ケース本体１６５Ａのバヨネット溝Ｍ１に入り込み係合し、蓋１６５Ｂがケース本体１６５Ａに取り付けられる。このように、ユーザは、当該操作により、蓋１６５Ｂをケース本体１６５Ａに取り付けることができる。
【００４３】
（六角レンチ及びボタン型電池の収容）
図６（ａ）及び図６（ｂ）を参照しながら、釣り用リール工具２００への六角レンチ３００及びボタン型電池４００の収容について説明する。なお、図６（ａ）及び図６（ｂ）では、円柱を屈曲させた形状にて六角レンチ３００を示しているが、前述のとおり、実際には、六角レンチ３００は正六角柱を屈曲させた形状である。
【００４４】
六角レンチ３００は、長辺部３１０と、長辺部３１０の一端部に繋がった短辺部３２０と、を有するＬ字型の六角レンチである。長辺部３１０の先端部、短辺部３２０の先端部はいずれも、ボルト１６３のボルト孔１６３Ａと係合する正六角柱状である。
【００４５】
短辺部３２０及び短辺部３２０に繋がった長辺部３１０の一端部は、第１収容部２２１ＢＡに収容される。長辺部３１０の他端部は、第２収容部２２１ＢＢに収容される。したがって、第１収容部２２１ＢＡと第２収容部２２１ＢＢとを備える収容部２２１Ｂは、六角レンチ３００を収容する、といえる。六角レンチ３００を収容部２２１Ｂに収容すると、六角レンチ３００の長辺部３１０は、凹部２２３の開口を、回転軸Ｃを通るように横切る。六角レンチ３００の短辺部３２０は、第１収容部２２１ＢＡの第２の孔Ｈ２を貫き、短辺部３２０の先端部は、操作部２２０の下側に突き出る（図４も参照）。
【００４６】
ボタン型電池４００は、凹部２２３に収容される。このとき、ボタン型電池４００は、底面２２２Ａ上に配置される。また、ボタン型電池４００を凹部２２３に収容し、さらに六角レンチ３００を収容部２２１Ｂに収容したとき、ボタン型電池４００は六角レンチ３００の長辺部３１０の下方に配置される。
【００４７】
（実施の形態上の効果）
釣り用リール工具２００は、六角レンチ３００を収容部２２１Ｂに収容できる。したがって、ユーザは、両軸受リール１００に使用されるこれらの複数の工具を容易に管理できる。
【００４８】
釣り用リール工具２００は、短辺部３２０及び短辺部３２０に繋がった長辺部３１０の一端部を第１収容部２２１ＢＡに収容し、長辺部３１０の他端部を第２収容部２２１ＢＢに収容するので、六角レンチ３００の両端が固定された状態で収容できる。
【００４９】
釣り用リール工具２００は、凹部２２３にボタン型電池４００を収容できる。したがって、ユーザは、釣り用リール工具２００及び六角レンチ３００と一緒に、ボタン型電池４００も容易に管理できる。例えば、ユーザは、電池ケース１６５内に装着されているボタン型電池４００が電池切れとなったときに備えて、交換用のボタン型電池４００を凹部２２３に収容し管理することが考えられる。また、管理対象となるボタン型電池４００は、交換用に限られない。例えば、両軸受リール１００を長期間使用しない場合、ボタン型電池４００が電極と長期間接触している状態でいることは放電などの点から好ましくないため、ユーザは、電池ケース１６５内に装着されているボタン型電池４００を取り外し凹部２２３に収容して管理することが考えられる。
【００５０】
釣り用リール工具２００では、六角レンチ３００を収容部２２１Ｂに収容したとき、長辺部３１０が凹部２２３の開口を横切る。そして、ボタン型電池４００が凹部２２３に収容されているとき、ボタン型電池４００は長辺部３１０の下方に配置されている。このとき、凹部２２３の開口を横切る長辺部３１０により、凹部２２３に収容されたボタン型電池４００が外部に脱落することを防ぐことができる。また、ユーザは、長辺部３１０のうち凹部２２３の開口を横切る部分をつまんで上方向に引くことにより、収容部２２１Ｂに収容した六角レンチ３００を容易に取り出すことができる。
【００５１】
釣り用リール工具２００では、六角レンチ３００を収容部２２１Ｂに収容したとき、短辺部３２０の先端部が操作部２２０の下側に突き出る。そのため、ユーザは、突き出た先端部を指で押すことにより、収容部２２１Ｂに収容された六角レンチ３００を容易に取り出すことができる。
【００５２】
釣り用リール工具２００では、底面２２２Ａの周囲に斜面２２２Ｂが配置されているので、底面２２２Ａの直径と内周面２２１Ａの直径とが同一の場合と比べて、ボタン型電池４００を収容するのに十分な凹部２２３の開口径が確保されている。さらに、凹部２２３に収容され底面２２２Ａ上に配置されたボタン型電池４００の横方向（上下方向に直交する方向）への移動が斜面２２２Ｂにより防止され、ボタン型電池４００が不要に横方向に動くことを防止できる。
【００５３】
（変形例）
本発明は、上述した実施の形態に限定されるわけではなく、その他の種々の変更が可能である。例えば、上記各部材の形状等は、任意に変更可能である。さらに、本発明は、電池ケースの蓋を付け外しするための工具以外の工具にも適用可能である。例えば、本発明は、両軸受リール１００のハンドルノブのキャップ等の他の着脱部材（両軸受リール１００の本体に対して着脱される部材）を取り外すための工具にも適用可能である。具体的に、箱型レンチ部２１０は、ハンドルノブのキャップ等の着脱部材の外周と係合するものであればよい。ここで、両軸受リール１００の本体とは、両軸受リール１００の主要な部分（例えば、スプール１４０と、第１本体部１２０と第２本体部１６０とのうちスプール１４０を回転可能に支持する部分と、連結部１７０とを少なくとも含む部分）であればよく、着脱部材が着脱される対象又は締結具によりある部材を締結する対象であればよい。例えば、両軸受リール１００の本体は、第１本体部１２０と、第２本体部１６０の筐体部材１６１及びケース本体１６５Ａと、連結部１７０とを含むものであってもよいし、さらにハンドル１３０を含むものであってもよい。また、六角レンチ３００の対象を、ボルト１６３に加え又は代えて、両軸受リール１００の組み立てに使用される他の締結具にしてもよい。
【００５４】
実施の形態では、第１収容部２２１ＢＡと第２収容部２２１ＢＢにより六角レンチ３００を釣り用リール工具２００に収容した。しかし、六角レンチ３００の長辺部３１０の長さが凹部２２３の開口径より短い場合、第２収容部２２１ＢＢが設けられていなくとも、短辺部３２０及び短辺部３２０に繋がった長辺部３１０の一端部を第１収容部２２１ＢＡに収容することにより、釣り用リール工具２００に六角レンチ３００を収容することができる。
【００５５】
この場合、六角レンチ３００を収容しても、長辺部３１０は凹部２２３の開口を完全には横切らない。つまり、長辺部３１０は、当該開口の一部を横切ることとなる。この場合であっても、実施の形態の場合と同様に、長辺部３１０の長さが一定以上あれば凹部２２３に収容されたボタン型電池４００の脱落を防ぐことができる。また、実施の形態の場合と同様に、ユーザは、当該開口の一部を横切る長辺部３１０をつまんで引くことにより、収容された六角レンチ３００を容易に取り出すことができる。
【００５６】
また、収容されたボタン型電池４００の脱落を防ぐことができないくらいに長辺部３１０の長さが短かったとしても、ユーザは、当該開口の一部を横切る長辺部３１０をつまんで引くことにより、収容された六角レンチ３００を容易に取り出すことができる。
【００５７】
実施の形態では、釣り用リール工具２００の操作部２２０はドーナツ部２２１と底部２１１とを備えるものとしたが、ドーナツ部２２１及び底部２１１に代えて円柱状の円柱部を備え、当該円柱部の上面にＬ字型の孔により形成される収容部２２１Ｂを備えるものであってもよい。この場合、釣り用リール工具２００は、ボタン型電池４００を収容することはできないが、六角レンチ３００を収容することはできるので、実施の形態の場合と同様に、複数の工具を容易に管理できる。
【００５８】
実施の形態では、収容部２２１ＢはＬ字型の六角レンチ３００を収容するものとしたが、他の形状の棒状レンチを収容するものであってもよい。例えば、直線型の棒状レンチを収容するものであってもよいし、Ｔ字型の棒状レンチを収容するものであってもよい。
【００５９】
棒状レンチは、締結具の内周面、特に締結具の頭部に設けられた孔（上記実施の形態では、ボルト孔１６３Ａ）の内周面に係合して締結具を締める又は緩めるための工具であればよい。例えば、棒状レンチは、断面が正五角形状の棒状レンチであってもよい。また、棒状レンチは、プラスドライバ、マイナスドライバなどのドライバも含む。当該ドライバは、直線型に限らず、Ｌ字型でもＴ字型でもよい。
【００６０】
実施の形態では、蓋１６５Ｂはバヨネット式で付け外しされるものとしたが、他の形式により付け外しされるものであってもよい。例えば、蓋１６５Ｂは、ネジ式で付け外しされるものであってもよい。
【００６１】
実施の形態では、突出部１６５ＢＣと係合凹部２１２Ａとが係合することにより、蓋１６５Ｂと箱型レンチ部２１０とが係合するものとしたが、他の態様により蓋１６５Ｂと箱型レンチ部２１０とが係合するものであってもよい。例えば、蓋１６５Ｂの外周の形状を正六角形とし、箱型レンチ部２１０の内周の形状を蓋１６５Ｂの外周に係合するような正六角形としてもよい。
【符号の説明】
【００６２】
１００  両軸受リール
１１０  リールフット
１２０  第１本体部
１３０  ハンドル
１４０  スプール
１５０  クラッチ操作部
１６０  第２本体部
１６１  筐体部材
１６２  カバー
１６３  ボルト
１６３Ａ  ボルト孔
１６５  電池ケース
１６５Ａ  ケース本体
１６５ＡＡ  底部
１６５ＡＢ  側部
Ｍ１  バヨネット溝
Ｓ１  収容空間
１６５Ｂ  蓋
１６５ＢＡ  覆い部
１６５ＢＢ  側部
１６５ＢＣ  突出部
１７０  連結部
１７１  表示装置
２００  釣り用リール工具
２１０  箱型レンチ部
２１１  底部
２１２  側部
２１２Ａ  係合凹部
２１２Ｂ  平面部
Ｓ２  空間
２２０  操作部
２２１  ドーナツ部
２２１Ａ  内周面
２２１Ｂ  収容部
２２１ＢＡ  第１収容部
Ｈ１  第１の孔
Ｈ２  第２の孔
２２１ＢＢ  第２収容部
Ｈ３  第３の孔
２２１Ｃ  環状凹部
２２１Ｄ  外周面
２２２  底部
２２２Ａ  底面
２２２Ｂ  斜面
２２３  凹部
Ｃ  回転軸
３００  六角レンチ
３１０  長辺部
３２０  短辺部
４００  ボタン型電池
【図１】
2020010609.tif 000003
【図２】
2020010609.tif 000004
【図３】
2020010609.tif 000005
【図４】
2020010609.tif 000006
【図５】
2020010609.tif 000007
【図６】
2020010609.tif 000008